(57)【要約】【課題】毛屑室の内部に紫外線照射灯を備えている電気かみそりにおいて、紫外線照射灯の点灯、消灯、強制消灯などを電気かみそり側で自動的に行えるようにして殺菌の手間を省く。【解決手段】モーター２の通電路をオン・オフするメインスイッチ１０と、外刃ホルダー１３の着脱でオン・オフする安全スイッチ１６とを備えている。両スイッチ１０・１６の切り換わり状態を検知回路２０で検知し、点灯条件が満足されているときは検知回路２０から出力される検知信号をタイマー回路２１で受けて、紫外線照射灯１７を自動的に点灯する。一定の殺菌時間が経過したことをタイマー回路２１で計測して、紫外線照射灯１７を自動的に消灯する。【選択図】　　　　図１
2004105327.tif 000002
【特許請求の範囲】
【請求項１】
本体ケース１にモーター２への通電状態を切り換えるメインスイッチ１０が設けられており、かみそりヘッド５の毛屑室１４内に紫外光を照射する紫外線照射灯１７が配置してある電気かみそりであって、
メインスイッチ１０の切り換え動作に連動して紫外線照射灯１７が自動的に点灯し、一定時間が経過した後に消灯できるようにしたことを特徴とする電気かみそり。
【請求項２】
メインスイッチ１０のオフ動作に連動して紫外線照射灯１７を所定時間点灯できる請求項１記載の電気かみそり。
【請求項３】
メインスイッチ１０がオフ状態に切り換わった後、一定の待機時間Ｗが経過してから紫外線照射灯１７を点灯し、所定時間点灯できる請求項１または２記載の電気かみそり。
【請求項４】
紫外線照射灯１７が点灯している状態において、外刃ホルダー１３がヘッドフレーム１２から取り外されたことを検知して、紫外線照射灯１７を消灯できる請求項１または２または３記載の電気かみそり。
【請求項５】
かみそりヘッド５に、外刃ホルダー１３の着脱に連動してオン・オフいずれかに切り換わる安全スイッチ１６が設けられており、
本体ケース１の内部に、メインスイッチ１０および安全スイッチ１６の切り換え状態を検知する検知回路２０が設けられており、
検知回路２０からの出力信号を受けて、紫外線照射灯１７が自動的に点灯し、一定時間が経過した後に消灯できる請求項１記載の電気かみそり。
【請求項６】
本体ケース１の内部に、検知回路２０とタイマー回路２１とが設けられており、
タイマー回路２１は、検知回路２０からの出力信号を受けて紫外線照射灯１７を点灯し、一定時間が経過したのち消灯できる請求項５記載の電気かみそり。
【請求項７】
本体ケース１の内部に、モーター２を駆動する２次電池３が配置されており、
２次電池３に充電電流が印加されたことを検知して紫外線照射灯１７を点灯できる請求項１記載の電気かみそり。
【請求項８】
紫外線照射灯１７が点灯している状態において、内刃７を低速度で駆動できるようにしてある請求項１記載の電気かみそり。
【請求項９】
かみそりヘッド５に、紫外線照射灯１７の表面に付着した毛屑を拭式清掃する清掃手段が設けられている請求項１記載の電気かみそり。
【請求項１０】
清掃手段が回転自在に軸支されたブラシ体３２からなり、ブラシ体３２が、内刃７を回転駆動する伝動機構８の動力を利用して回転駆動される請求項７記載の電気かみそり。
【請求項１１】
毛屑室１４の周囲壁に、紫外線照射灯１７の点灯状態を確認する視認窓１８が設けられている請求項１記載の電気かみそり。
【請求項１２】
外刃６の表面と、内刃７の表面と、毛屑室１４の内周面の少なくともひとつに、光触媒膜が形成されている請求項１記載の電気かみそり。
【請求項１３】
紫外線照射灯１７から発光される光のピーク波長が近紫外光領域にある請求項１２記載の電気かみそり。
【請求項１４】
電気かみそりに内蔵された２次電池３を充電するための充電器であって、
充電器に装填した電気かみそりの外刃６と対向する位置に、紫外線照射灯４７が配置されており、
充電時に紫外線照射灯４７を点灯して外刃６を殺菌できることを特徴とする充電器。
【請求項１５】
充電器のベース４０に、電気かみそりが充電器に装填されたことを検知するセンサー４５が設けられており、
前記センサー４５の検知信号に基づいて紫外線照射灯４７を点灯できる請求項１２記載の充電器。
【発明の詳細な説明】
【０００１】
【発明の属する技術分野】
この発明は、かみそりヘッドの内部に紫外線照射灯（以下単にＵＶ灯と言う）が組み込んである電気かみそり、およびＵＶ灯を備えている充電器に関する。
【０００２】
【従来の技術】
かみそりヘッドの内部にＵＶ灯を組み込むことは公知である（特許文献１参照）。そこでは、外刃保護キャップの着脱に連動してオン・オフする安全スイッチを設けておき、外刃保護キャップをかみそりヘッドから取り外した状態では、安全スイッチがオフ状態に切り換わって、ＵＶ灯を点灯できないようにしてある。
【０００３】
この発明では、毛屑室の周壁や、内刃、あるいは外刃の表面に光触媒膜を形成し、光触媒膜の有機物分解作用や抗菌作用によって、毛屑室の内部を衛生的な状態に保持するが、この種の技術は公知である（特許文献２、および特許文献３参照）。
【０００４】
【特許文献１】
実公平６−１１１３号公報（第２ページ、第２図）
【特許文献２】
特開平１１−２１６２７６号公報（段落番号００３８−００４２、図１）
【特許文献３】
特開２０００−９４５６４号公報（段落番号００４４−００４６、図２）
【０００５】
【発明が解決しようとする課題】
かみそりヘッドの内部にＵＶ灯を組み込んだ先の電気かみそりによれば、外刃保護キャップがかみそりヘッドに装着されて、安全スイッチがオン状態に切り換わり、メインスイッチがオフ状態にあって、点灯スイッチがオン操作された場合にのみＵＶ灯を点灯できる。従って、ひげそり途中にうっかりして点灯スイッチをオン操作することがあっても、ＵＶ灯が点灯することはない。
【０００６】
問題は、外刃保護キャップの装着や、点灯スイッチの切り換えなど、一連の手順を経ない限りはＵＶ灯を点灯できないので、常に電気かみそりの衛生状態に気配りできる几帳面な使用者である場合はともかく、そうでない使用者の場合には、殺菌機能を有効に利用していないことが多い。ＵＶ灯を点灯して一定時間が経過した後、点灯スイッチをオフ操作してＵＶ灯を消灯しなければならない点も、使用上の煩わしさを倍化させている。
【０００７】
この発明の目的は、ＵＶ灯の点灯および消灯はもちろんのこと、点灯の可否確認などＵＶ灯を使用するうえで必要な全ての制御が電気かみそり側で自動的に行え、従って使用者の手間を掛けず、毛屑室の内部の殺菌を確実に行える電気かみそりを提供することにある。この発明の目的は、必要に応じてＵＶ灯の表面をクリーニングして、紫外線を確実に照射できる電気かみそりを提供することにある。
【０００８】
この発明の目的は、ＵＶ灯で殺菌を行うとき、内刃や毛屑室内の可動部品を駆動しながら殺菌でき、従って内刃や毛屑室内の可動部品の隅々にまで紫外線を照射して、確実に殺菌できる電気かみそりを提供することにある。
【０００９】
この発明の目的は、紫外線による殺菌作用に加えて、毛屑室の内部の有機物を光触媒によって分解でき、従って有機物の酸化や発酵に伴う異臭の発生を解消できる電気かみそりを提供することにある。
【００１０】
この発明の目的は、２次電池を主たる駆動源とする電気かみそりにおいて、充電動作を利用してかみそりヘッドの内外を殺菌でき、従って十分な時間を掛けて殺菌できる充電器を提供することにある。
【００１１】
【課題を解決するための手段】
この発明の電気かみそりは、本体ケース１にモーター２への通電状態を切り換えるメインスイッチ１０が設けられてあり、かみそりヘッド５の毛屑室１４内に紫外光を照射する紫外線照射灯１７が配置してある。メインスイッチ１０の切り換え動作に連動して紫外線照射灯１７が自動的に点灯し、一定時間が経過した後に消灯できるようにしたことを特徴とする。（請求項１）
【００１２】
具体的には、メインスイッチ１０のオフ動作に連動して紫外線照射灯１７を所定時間点灯できるようにする。（請求項２）
【００１３】
メインスイッチ１０がオフ状態に切り換わった後、一定の待機時間Ｗが経過してから紫外線照射灯１７を点灯し、所定時間点灯できるようにする。（請求項３）
【００１４】
紫外線照射灯１７が点灯している状態において、外刃ホルダー１３がヘッドフレーム１２から取り外されたことを検知して、紫外線照射灯１７を消灯できるようにする。（請求項４）
【００１５】
かみそりヘッド５に、外刃ホルダー１３の着脱に連動してオン・オフいずれかに切り換わる安全スイッチ１６を設ける。本体ケース１の内部に、メインスイッチ１０および安全スイッチ１６の切り換え状態を検知する検知回路２０を設ける。検知回路２０からの出力信号を受けて、紫外線照射灯１７が自動的に点灯し、一定時間が経過した後に消灯できるようにする。（請求項５）
【００１６】
本体ケース１の内部に、検知回路２０とタイマー回路２１とを設ける。タイマー回路２１は、検知回路２０からの出力信号を受けて紫外線照射灯１７を点灯し、一定時間が経過したのち消灯する。（請求項６）
【００１７】
本体ケース１の内部に、モーター２を駆動する２次電池３が配置してある電気かみそりにおいて、２次電池３に充電電流が印加されたことを検知して紫外線照射灯１７を点灯できるようにする。（請求項７）
【００１８】
紫外線照射灯１７が点灯している状態において、内刃７を低速度で駆動できるように構成することができる。（請求項８）
【００１９】
かみそりヘッド５には、紫外線照射灯１７の表面に付着した毛屑を拭式清掃する清掃手段を設けることができる。（請求項９）
【００２０】
清掃手段が回転自在に軸支されたブラシ体３２からなり、このブラシ体３２が、内刃７を回転駆動する伝動機構８の動力を利用して回転駆動される。（請求項１０）
【００２１】
毛屑室１４の周囲壁には、紫外線照射灯１７の点灯状態を確認する視認窓１８を設けることができる。（請求項１１）
【００２２】
外刃６の表面と、内刃７の表面と、毛屑室１４の内周面との少なくともひとつに、光触媒膜を形成することができる。（請求項１２）
【００２３】
紫外線照射灯１７から発光される光のピーク波長は近紫外光領域にある。（請求項１３）
【００２４】
この発明は、電気かみそりに内蔵された２次電池３を充電するための充電器において、充電器に装填した電気かみそりの外刃６と対向する位置に、紫外線照射灯４７が配置されており、充電時に紫外線照射灯４７を点灯して外刃６を殺菌できることに特徴を有する。（請求項１４）
【００２５】
その充電器のベース４０には、電気かみそりが充電器に装填されたことを検知するセンサー４５が設られており、このセンサー４５の検知信号に基づいて紫外線照射灯４７を点灯できる。（請求項１５）
【００２６】
【発明の作用効果】
この発明では、メインスイッチ１０の切り換え動作に連動して紫外線照射灯１７を自動的に点灯できるようにするので、紫外線照射灯１７の制御を電気かみそり側で自動的に行え、従って使用者の手間を一切必要とせずに、毛屑室の内部の殺菌を確実に行える。
【００２７】
メインスイッチ１０のオフ動作に連動して紫外線照射灯１７を所定時間点灯できるようにすると、紫外線照射灯１７の点灯制御を電気かみそり側で自動的に行えるうえ、従来避けられなかった、紫外線照射灯１７の消し忘れを一掃でき、従って使用者の手間を一切必要とせずに、毛屑室の内部の殺菌を確実に行える。さらに、電気かみそり使用中は紫外線照射灯１７が消灯しているので、紫外線による皮膚への悪影響を防止できる。
【００２８】
メインスイッチ１０がオフ状態に切り換わった後、一定の待機時間Ｗが経過してから紫外線照射灯１７を点灯し、所定時間点灯できるようにした電気かみそりによれば、メインスイッチ１０が短い時間間隔で繰り返しオン・オフ操作されるような場合にも、紫外線照射灯１７の点灯開始時期を遅らせて一定時間待機させることができるので、紫外線照射灯１７の無駄な点灯・消灯を避けることができる。紫外線照射灯１７によっては、無駄な点灯・消灯がない分だけ寿命を延ばすことができる。
【００２９】
紫外線照射灯１７が点灯している状態において、外刃ホルダー１３がヘッドフレーム１２から取り外されたことを検知して、紫外線照射灯１７を消灯できるようにした電気かみそりによれば、外刃ホルダー１３が取り外された状態、即ち紫外線照射灯１７が剥き出しになった状態で点灯されるのを確実に防止して、使用者が紫外光に晒されるのを確実に阻止できる。
【００３０】
本体ケース１の内部に、メインスイッチ１０および安全スイッチ１６の切り換え状態を検知する検知回路２０を設けておき、検知回路２０からの出力信号を受けて紫外線照射灯１７を自動的に点灯し、一定時間が経過した後に消灯できるようにした電気かみそりによれば、紫外線照射灯１７の点灯、および消灯を正確に制御できるうえ、誤って外刃ホルダー１３を取り外してしまった場合に、安全スイッチ１６からの信号により紫外線照射灯１７を強制的に消灯して使用者の安全を確保できる。
【００３１】
検知回路２０とタイマー回路２１とを備えていて、検知回路２０からの出力信号を受けたタイマー回路２１で紫外線照射灯１７を点灯し、一定時間が経過したのち紫外線照射灯１７を消灯できるようにした電気かみそりによれば、タイマー回路２１によって紫外線照射灯１７の点灯時間を正確に制御できる。メインスイッチ１０が短い時間間隔で繰り返しオン・オフ操作されるような場合には、紫外線照射灯１７の点灯開始時期をタイマー回路２１で一定時間待機させることにより、紫外線照射灯１７の無駄な点灯・消灯を避けることができる。
【００３２】
２次電池３に充電電流が印加されたことを検知して紫外線照射灯１７を点灯できるようにすると、時間を充分に掛けて連続的に殺菌できるうえ、充電電流で紫外線照射灯１７を点灯できるので、２次電池３の消耗を気にする必要もなく殺菌を行える。
【００３３】
内刃７を低速度で駆動しながら紫外線照射灯１７で殺菌を行うと、紫外線照射灯１７の照射光に対する内刃７の位置および姿勢を連続的に変化させながら殺菌できるので、内刃７の表面を満遍なく殺菌できるうえ、内刃７が動くことによって外刃６に到達する紫外光の量を増やすことができる。内刃７を通常の駆動速度より低速で駆動するので、電池の消耗を押さえることができる。
【００３４】
かみそりヘッド５に、紫外線照射灯１７用の清掃手段が設けてあると、必要に応じて清掃手段で紫外線照射灯１７の表面に付着した毛屑を除去できるので、内刃７や外刃６、あるいは毛屑室１４の内周壁に対する紫外光の到達度を高めて殺菌効果を向上できる。
【００３５】
内刃７用の伝動機構８の動力を利用して回転駆動されるブラシ体３２で、紫外線照射灯１７の表面に付着した毛屑を拭式除去すると、ひげそりと同時に紫外線照射灯１７の清掃を自動的に行うことができる。しかも、電気かみそりを使い終わった時点では、紫外線照射灯１７の表面から毛屑などが除去されているので、常に適正な状態で紫外線照射灯１７を使用でき、紫外光の照射効率が高い分だけ殺菌効果が向上する。
【００３６】
毛屑室１４の周囲壁に視認窓１８を設けると、かみそりヘッド５の外部から紫外線照射灯１７の点灯状態を確認し、あるいは毛屑室１４内の毛屑の量などを確認できるので、これらの確認作業が外刃ホルダー１３を着脱する手間を省いて簡便に行える。
【００３７】
外刃６の表面、内刃７の表面、毛屑室１４の内周面等に光触媒膜が形成してあると、紫外線照射灯１７による殺菌作用に加えて、光触媒膜の有機物分解作用によっても毛屑室１４内の有機物を分解できるので、毛屑室１４内をさらに衛生的な状態に維持できる。有機物の酸化や発酵に伴う異臭の発生も解消できる。紫外線照射灯１７から照射される紫外光を利用して光触媒膜を活性化するので、別途紫外線照射灯を用意する必要がなく、その分だけかみそりヘッドの構造を簡素化できる。
【００３８】
紫外線照射灯１７から発光される光のピーク波長が近紫外光領域にあると、高い殺菌効果が得られるので、紫外線照射灯１７の点灯時間を短くでき、その分だけ電池の消耗を抑止できる。
【００３９】
充電器に装填した電気かみそりの外刃６と対向する位置に紫外線照射灯４７を配置し、充電に並行して紫外線照射灯４７を点灯できるようにすると、外刃６や複数の外刃の間に設けたセンタートリマーなどの表面を紫外光に晒して殺菌できる。とくに、毛屑室１４内に紫外線照射灯１７が設けてある電気かみそりの場合には、外刃６の内外両面に紫外光を照射して効果的に殺菌できる。
【００４０】
充電器のベース４０にセンサー４５を設けておき、電気かみそりが充電器に装填されたことをセンサー４５で検知し、その検知信号に基づいて紫外線照射灯４７を点灯できるようにすると、紫外線照射灯４７を自動的に点灯でき、充電終了と同時に消灯できるので、使用者の手間を一切必要とせずに、外刃６の殺菌を確実に行える。
【００４１】
【実施例】
（実施例１）　図１ないし図５はこの発明に係る電気かみそりの実施例を示す。図３および図４において電気かみそりは、モーター２、２次電池３、および回路基板４などを収容する本体ケース１と、本体ケース１の上部に設けたかみそりヘッド５とで構成してある。
【００４２】
かみそりヘッド５には、薄板状の外刃６と、横軸周りに回転するロータリー式の内刃７と、モーター動力を内刃７へ伝える伝動機構８（図４参照）などが設けてある。本体ケース１の前面側にはメインスイッチ１０が、後面上部にはきわぞり刃ユニット１１が設けてある。
【００４３】
図５において、かみそりヘッド５の内部には、ヘッドフレーム１２と外刃ホルダー１３とで毛屑室１４が区画形成されており、内外の両刃６・７で切断した毛屑を毛屑室１４内に一時的に貯留できる。外刃ホルダー１３はヘッドフレーム１２に対して着脱可能に装着してあり、この着脱動作に連動してオン・オフする安全スイッチ１６がヘッドフレーム１２に組み込んである。外刃ホルダー１３をヘッドフレーム１２から取り外すと、安全スイッチ１６の押しボタン１６ａがフレーム上面へ突出してオフ状態に切り換わる。安全スイッチ１６がオン状態のとき、つまり、ヘッドフレーム１２に対して外刃ホルダー１３がしっかり装着されているときに、メインスイッチ１０をオン動作すると２次電池３の電力によりモーター２（内刃７）が回転し、ひげそりを行うことができる。
【００４４】
内刃７や毛屑室１４の内周壁を紫外線で殺菌するために、ヘッドフレーム１２の上面前後にＵＶ灯（紫外線照射灯）１７が設けられている。ＵＶ灯１７は紫外線発光ダイオードからなり、波長が３５０〜３７０ｎｍの紫外光を照射できる。ＵＶ灯１７の点灯状況を確認するために、外刃ホルダー１３の前壁上部に視認窓１８が設けられている。視認窓１８は紫外線を遮断できるコーティングガラスで形成してある。
【００４５】
ひげそりを終了した後に、ＵＶ灯１７を自動的に点灯して毛屑室１４内を殺菌するために、本体ケース１内の回路基板４に、図１に示す点灯制御回路が組み込んである。この点灯制御回路は、メインスイッチ１０および安全スイッチ１６のオン・オフ状態を検知する検知回路２０と、検知回路２０からの出力信号を受けて作動するタイマー回路２１とを備えており、先の両スイッチ１０・１６の状態に応じてＵＶ灯１７を点灯させ、あるいは消灯させる。２２は安全スイッチ１６の電圧状態を検知する入力端子、２３はメインスイッチ１０の電圧状態を検知する入力端子である。
【００４６】
点灯制御回路は、基本的に外刃ホルダー１３がヘッドフレーム１２に装着されて、安全スイッチ１６がオン状態にあり、それまでオン状態にあったメインスイッチ１０がオフ状態に切り換わると、入力端子２３における電圧状態の変化を検知回路２０で検知してＵＶ灯１７を点灯し、毛屑室１４内に臨む内刃７、外刃６、および毛屑室１４の内周壁に紫外線を照射して、毛屑や皮脂に付着している雑菌等を殺菌する。さらに、点灯開始から一定時間（例えば３０分）が経過したことをタイマー回路２１で判定して、ＵＶ灯１７を消灯する（図２参照）。
【００４７】
メインスイッチ１０はひげそりが終了した時点でオフ操作するが、そり残したひげを剃るために、再度オン操作することがある。こうした状況では、ひげそりが終了して一定の待機時間Ｗ（数分）が経過してから、ＵＶ灯１７を点灯することが好ましい。具体的には、タイマー回路２１の入力部に遅延回路（チャタリング防止回路）を設け、待機時間Ｗが経過するまでＵＶ灯１７を点灯させないようにしている（図２参照）。
【００４８】
ＵＶ灯１７を点灯している最中に、外刃ホルダー１３がヘッドフレーム１２から取り外されることがある。その場合には、安全スイッチ１６がオフ状態に切り換わって、入力端子２２の電圧状態が変化し、そのことを検知回路２０で検知して、強制停止信号をタイマー回路２１へ出力するので、ＵＶ灯１７は強制的に即時に消灯される。再び外刃ホルダー１３を取り付けると、タイマー回路２１で計時していた残りの時間だけＵＶ灯１７が点灯する。
【００４９】
因みに、メインスイッチ１０がオフ、安全スイッチ１６がオンのとき、入力端子２２の電圧はＧＮＤ状態になっている。この状態から外刃ホルダー１３をヘッドフレーム１２から取り外して、毛屑室１４内を清掃することがある。その場合には、外刃ホルダー１３をヘッドフレーム１２から取り外すのと同時に、安全スイッチ１６がオフ状態に切り換わり、入力端子２２における電圧状態がプルアップ抵抗２４で規定される電圧にまで上昇し、この電圧変化を検知回路２０で検知できるので、ＵＶ灯１７が点灯されることはない。
【００５０】
清掃が終わった後、外刃ホルダー１３をヘッドフレーム１２に再装着すると、安全スイッチ１６がオン状態に切り換わり、入力端子２２における電圧状態がＧＮＤ状態に復帰する。この立ち下がりの電圧を検知回路２０が検知したとき、メインスイッチ１０のオン・オフの切り換え動作がなくとも、それまで消灯していたＵＶ灯１７が点灯することになる。このとき、ＵＶ灯１７はメインスイッチ１０のオフ後と同じ図２で示される動作で点灯・消灯する。このように、毛屑室１４を清掃した後にＵＶ灯１７を点灯して殺菌を行うと、内刃７、外刃６、あるいは毛屑室１４の内周壁を、毛屑に邪魔されることなく紫外光に暴露でき、その分だけ効果的に殺菌できる。
【００５１】
（実施例２）　２次電池３を充電する場合には、図９に示す充電器を用いて行う。すなわち、充電器のソケット（出力端子）４６を図８に示す電気かみそりの入力プラグ（入力端子）９に電気的に接続し、ソケット４６から低電圧の充電電流を電気かみそりの入力プラグ９に印可すると、本体ケース１に内蔵された２次電池３が充電される。接続部は有接点方式、無接点方式どちらの方式であってもよい。このとき、ＯＲ回路（図８参照）の入力端子に充電信号が入力されタイマー回路２１が駆動するので、２次電池３の充電と同時にＵＶ灯１７を点灯することができる。ＵＶ灯１７は、充電電流の印加に伴う充電信号によって点灯を開始し、しかも充電電流の電力によって点灯するので、２次電池３の消耗を気にすることなく時間を充分に掛けて連続的に殺菌できる。
【００５２】
具体的には、タイマー回路２１に関して、本実施例ではタイマー回路２１に短い時間設定（例えば点灯時間は３０分）のオン・オフ時点灯用タイマーと長い時間設定（例えば点灯時間は５０分）の充電時点灯用タイマーの２つのタイマーを備えており、メインスイッチ１０のオフ動作を検知したときは、オン・オフ時点灯用タイマーを駆動し、充電電流或いは充電状態を検知したときは、充電時点灯用タイマーを駆動するようにして、充電中におけるＵＶ灯１７の点灯をできるだけ長くしている。なお、本実施例の充電回路は、２次電池３が１時間で満充電となるよう構成されている。
【００５３】
また、時間を充分に掛けて連続的に殺菌するために、ＵＶ灯１７の点灯後は、タイマーではなく２次電池３の充電終了時にＵＶ灯１７を消灯するようにしてもよい。充電終了時とは、２次電池３が所定の電圧状態になったことを充電回路によって検知し、この検知信号に基づき充電電流が遮断されたとき、若しくは、電気かみそりが電源アダプター（充電器）から分離されて、両者間の電気的な接続が遮断されたときのいずれであってもよい。
【００５４】
髭を剃る場合は、実施例１と同様にメインスイッチ１０をオン操作し、モーター２を駆動することで行うが、ひげそり終了後にメインスイッチ１０をオフ動作したときは、そのオフ信号が検知回路２０の入力端子に入り、この信号と安全スイッチ１６のオン信号のアンドをとった信号がＯＲ回路に入力されることで、タイマー２１（オン・オフ時点灯用タイマー）が駆動してＵＶ灯１７が設定された時間点灯する。
【００５５】
ＵＶ灯１７を点灯して殺菌を行っているとき内刃７を回転駆動すると、その表面の隅々にまで紫外光を照射でき効果的な殺菌を行えることから、ＵＶ灯１７が点灯しているときは、モーター２、すなわち内刃７を短時間でも回転させる方が好ましい。そこで、本実施例ではメインスイッチ１０がオフ状態であってもモーター２を所定時間回転するために、ＯＲ回路に接続されたタイマー回路３４、パルス発生回路３５、スイッチング回路等からなるモーター駆動回路を設けている（図８参照）。これによって、ＵＶ灯１７の点灯開始と同時にモーター２を回転することができるとともにタイマー回路３４の設定時間が経過するとモーター２を停止することができる。タイマー回路３４の時間設定は、消費電力を考慮して、どの条件のＵＶ灯１７の点灯時間よりも短い５分間としている。それでも通常の運転状態と同じ回転数で内刃７を回転駆動すると、消費電力による負担が大きいし、騒音の問題もある。そこでさらに本実施例では、内刃７をゆっくりと回転駆動することにより効果的に殺菌でき、電力消費や騒音も押さえられるようにした。
【００５６】
具体的には、図８に示すようにＵＶ灯１７用のタイマー回路２１とは別に、モーター２を低速で駆動するためのタイマー回路３４を設け、その出力側にパルス発生回路３５を設けて、ＵＶ灯１７の点灯条件が満足された状態において、パルス発生回路３５から出力されるパルス電流でモーター２を低速駆動できるようにした。例えば、内刃７の通常の駆動回転数が２０００ｒｐｍであるとき、内刃７を４００ｒｐｍで駆動するようにした。
【００５７】
（実施例３）　通常の使用状態において、毛屑室１４内に設けたＵＶ灯１７の表面には毛屑が付着しており、照射した紫外光が毛屑で遮られて効果的な殺菌を行えないことがある。このような毛屑による光遮蔽を解消するために、かみそりヘッド５に清掃手段を付加することができる。
【００５８】
例えば図６に示すように、門形のブラシ枠２６を外刃ホルダー１３の一側壁に左右スライド自在に組み付け、ブラシ枠２６を圧縮コイル形のばね２７で外向きに押し出し付勢する。前後一対のブラシ腕２８の先端には、ＵＶ灯１７の表面を清掃するためのブラシ２９が固定されている。ＵＶ灯１７が点灯される前に、ブラシ枠２６をばね２７に逆らって、数回押し込み操作すると、ブラシ２９がＵＶ灯１７の表面に接触して、そこに付着している毛屑を拭式除去できるので、効果的に紫外光を照射できる。
【００５９】
（実施例４）　図７は清掃手段の別の実施例を示す。そこでは、左右一対の側枠３１でブラシ体３２を回転自在に軸支し、内刃７を駆動する伝動機構８から分岐した動力でブラシ体３２を回転駆動する。側枠３１は、ヘッドフレーム１２の両側に立設されて内刃７を軸支しており、その片方の内部に先の伝動機構８が収容してある。ブラシ体３２は軸体３３と、軸体３３に固定したブラシ２９とからなり、内刃７が回転駆動されるとき、同じ方向に回転駆動されてＵＶ灯１７の表面に付着した毛屑をブラシ２９で払い落とすことができる。
【００６０】
（実施例５）　紫外光による殺菌効果に加えて、光触媒膜の有機物分解作用によって、毛屑室の内部を衛生的な状態に保持することができる。具体的には、外刃６および内刃７の表面、および毛屑室１４の内周壁のそれぞれに光触媒膜を形成し、皮脂や汗などに含まれる有機物を光触媒膜で分解して、有機物の腐敗等による異臭の発生を防ぐ。
【００６１】
光触媒膜は、酸化チタン、硫化カドミウム、硫化亜鉛、ニオブ、酸化第２鉄のいずれかひとつの光触媒材を含有する被膜からなり、スパッタリング、蒸着、ＣＶＤ法、ＰＶＤ法、電着法、あるいは塗布によって形成することができる。内刃７や外刃６等に光触媒材を塗布して光触媒膜を形成する場合には、例えば、酸化チタンゾル、無機コーティング材、硬化触媒を混合して得られる光触媒無機コーティング材を塗布し、常温であるいは数百度の熱を加えて硬化させて形成する。酸化チタンとしては、アナターゼ結晶形の二酸化チタンが好ましいが、銅、銀、白金、その他の金属でメタライズしたルチル形の二酸化チタンであってもよい。なお、光触媒材を含む懸濁液の塗付手段としては、ディップ法、スプレー法、静電印刷、インクジェット、タンポ印刷、スピンコーティングなどを適用できる。
【００６２】
上記の光触媒膜は、近紫外光を照射することにより活性化されて有機物分解作用を発揮する。先に説明したように、毛屑室１４に設けたＵＶ灯１７は、波長が３５０〜３７０ｎｍの近紫外光を放射できる。この近紫外光は光触媒膜を活性化することにも役立っており、従って近紫外光で毛屑や皮脂に付着している雑菌等を殺菌しながら、同時に光触媒膜によって有機物を分解できる。外刃に二酸化チタンをコートし、２ｃｍの距離を隔てて紫外線発光ダイオードを照射した試験の結果、黄色ブドウ球菌、コアグラーゼ陰性ブドウ球菌等の細菌の数が、照射開始１時間後に１／３０に減少した。
【００６３】
毛屑室１４の内周壁の殆どは、プラスチック成形された外刃ホルダー１３、およびヘッドフレーム１２で占められているので、これらに関しては光触媒膜を形成することに代えて、光触媒粒子を成形素材に混入して有機物分解作用を発揮させることができる。
【００６４】
図９および図１０は、主として、かみそりヘッド５の外刃６を殺菌できるようにした充電器の実施例を示す。図１０において充電器は、左右に長いＬ字状のベース４０と、ベース４０に対して軸４１を介して揺動可能に軸支されるキャップ４２とを外郭体にして構成されている。図９においてベース４０の内部には、トランス４３、整流器４４、電気かみそりがベース４０に装填されたことを検知するスイッチ（センサー）４５、電気かみそりの入力プラグ９が接続されるソケット４６などが組み込んである。図１０で示す電気かみそりには、図８で示す回路が内蔵されており、基本的に実施例２と同様な動作を行うことができる。
【００６５】
キャップ４２には、外刃６に紫外光を照射するＵＶ灯４７と、紫外光の漏洩を防ぐシリコンゴム製のシールド筒４８が設けてある。キャップ４２は、軸４１に外嵌したばね４９で、ＵＶ灯４７がかみそりヘッド５と正対する姿勢に揺動付勢してあり、ばね４９に抗してキャップ４２を想像線で示す退避姿勢にすると、電気かみそりをベース４０に載置できる。このとき、スイッチ４５がオン状態に切り換わるので、この後、充電器の電源プラグを交流電源に接続することにより、ＵＶ灯４７を点灯できる。充電時には、毛屑室１４の内部に設けたＵＶ灯１７も同時に点灯して、内刃７や外刃６を内外両面から同時に殺菌できるので、さらに効果的な殺菌を行える。ベース４０から電気かみそりを取り外すとスイッチ４５がオフされるので、キャップ４２に設けたＵＶ灯４７は消灯する。
【００６６】
上記のように、充電器の充電作用を利用してＵＶ灯１７・４７を点灯させると、２次電池３の消耗を気にする必要もなく殺菌を行えるので、時間を充分に掛けて連続的に毛屑室１４内や内刃７、外刃６の内外両面を殺菌できる。必要があれば、きわぞり刃ユニット１１と正対する位置に別のＵＶ灯を設けておいて、きわぞり刃を同時に殺菌することができる。きわぞり刃に先の光触媒膜を形成してもよい。
【００６７】
上記の実施例以外に、この発明は往復動式の内刃や回転内刃を備えている電気かみそりにも適用できる。ＵＶ灯１７は毛屑室１４内の任意の位置に任意の向きで配置でき、毛屑室１４内に少なくとも１個配置してあればよい。ＵＶ灯１７は紫外線発光ダイオード以外に、水銀ランプ、ブラックライト、ハロゲン電球等を適用できる。充電器におけるスイッチ４５は、リードスイッチや光センサーなどのセンサーであってもよい。
【図面の簡単な説明】
【図１】紫外線照射灯の点灯制御回路を示す回路図である。
【図２】スイッチと紫外線照射灯の点灯状態を示すタイミングチャートである。
【図３】電気かみそりの正面図である。
【図４】かみそりヘッドの一部破断正面図である。
【図５】かみそりヘッドの縦断側面図である。
【図６】実施例３に係るかみそりヘッドの横断平面図である。
【図７】実施例４に係るかみそりヘッドの縦断側面図である。
【図８】実施例５に係る電気かみそりの点灯制御回路を示す回路図である。
【図９】充電器に設けた紫外線照射灯の点灯制御回路を示す回路図である。
【図１０】充電器の正面図である。
【符号の説明】
１　本体ケース
２　モーター
５　かみそりヘッド
６　外刃
７　内刃
１０　メインスイッチ
１２　ヘッドフレーム
１３　外刃ホルダー
１４　毛屑室
１６　安全スイッチ
１７　紫外線照射灯
２０　検知回路
２１　タイマー回路
４０　ベース
４５　センサー
４７　紫外線照射灯
【図１】
2004105327.tif 000003
【図２】
2004105327.tif 000004
【図３】
2004105327.tif 000005
【図４】
2004105327.tif 000006
【図５】
2004105327.tif 000007
【図６】
2004105327.tif 000008
【図７】
2004105327.tif 000009
【図８】
2004105327.tif 000010
【図９】
2004105327.tif 000011
【図１０】
2004105327.tif 000012